(57)【要約】      （修正有）【課題】胸元で防水ファスナーの開閉操作を、第三者を煩わせることなく、一人で簡単容易に行え、また防水ファスナーの局所的な膨らみの破壊を防止することが可能なドライスーツを提供する。【解決手段】ドライスーツ本体２０の胸部を胸幅方向に横断して両腕のそれぞれの肩部間にわたって設けられた、身体着脱用の開口部２２を開閉すると共に、開口部を画成する防水ファスナー装置３０を備える。この装置は、第一防水ファスナー４０と上側の第二ファスナー５０との二重構造を以って構成され、胸幅方向に横一文字状に設けてある。さらに、第一防水ファスナーの裏側から、この第一防水ファスナーの両テープの外周に沿って、裏生地に両テープと一緒に結合され、および第一防水ファスナーのスライダーをその最大開口位置である下止位置まで移動させて止めてあるとき、スライダーにより開放される両テープの開放角を抑制する開放角抑制部を含む補強材を備える。【選択図】図２
2011140278.tif 000002
【特許請求の範囲】
【請求項１】
ドライスーツ本体の胸部を胸幅方向に横断して両腕のそれぞれの肩部間にわたって設けられた、身体着脱用の開口部を備え、該開口部は、当該開口部を開閉すると共に該開口部を画成する防水ファスナー装置が設けられていることを特徴とする水中用ドライスーツ。
【請求項２】
前記防水ファスナー装置は、第一防水ファスナーと該第一防水ファスナーよりも上下方向において上側の第二ファスナーとの二重構造を以って構成されて、前記胸幅方向に横一文字状に設けられており、
前記第一防水ファスナーは、前記ドライスーツ本体の裏生地に結合され、かつ前記開口
部の主開口を画成しており、
前記第二ファスナーは、前記第一防水ファスナーより長尺であり、前記ドライスー
ツの表生地に結合され、前記主開口の上側に該主開口よりも大きな第一サブ開口を画成し、および、前記ドライスーツを装着して閉成された時に前記ドライスーツの表生地と相俟って、閉成されている前記第一防水ファスナーを上側から押圧するように、前記第一防水ファスナーに全体的或は部分的に重なる配置関係で設けられている
ことを特徴とする請求項１に記載の水中用ドライスーツ。
【請求項３】
前記第一防水ファスナーの裏側から、該第一防水ファスナーの両テープの外周に沿って、前記裏生地に前記両テープと一緒に結合され、および該第一防水ファスナーのスライダーを該第一防水ファスナーの最大開口位置である第一下止の位置（この位置を第一下止位置と称する。）まで移動させて止めてあるとき、前記スライダーにより開放される前記両テープの開放角を抑制する開放角抑制部を含む補強材を備えることを特徴とする請求項２に記載の水中用ドライスーツ。
【請求項４】
前記開放角抑制部は、基部と該基部から二股状に分岐した分岐部とを持った平板状の部材で形成されていることを特徴とする請求項３に記載の水中用ドライスーツ。
【請求項５】
前記平板状の部材を生地とすることを特徴とする請求項４に記載の水中用ドライスーツ。
【請求項６】
前記開放角抑制部は、前記第一下止と、前記第一下止位置に止められた前記スライダーとに対向する領域に設けられていることを特徴とする請求項３から５のいずれか一項に記載の水中用ドライスーツ。
【請求項７】
前記開放角抑制部は、前記第一防水ファスナーよりも硬い材料で形成されていることを特徴とする請求項３から６のいずれか一項に記載の水中用ドライスーツ。
【請求項８】
前記第二ファスナーは、前記胸部の中央領域に対応する中央部分が肩側領域に対応する肩側部分よりも、前記ドライスーツの丈方向下方に下がっていることを特徴とする請求項２から７のいずれか一項に記載の水中用ドライスーツ。
【請求項９】
前記第二ファスナーは、前記第一防水ファスナーに対して、前記胸部の領域において前記肩側部分と前記中央部分との間で互いに交差することを特徴とする請求項８に記載の水中用ドライスーツ。
【請求項１０】
前記第二ファスナーは、前記中央部分において左右に分離された第一および第二サブファスナーとして、設けられていることを特徴とする請求項８または９に記載の水中用ドライスーツ。
【請求項１１】
水中用ドライスーツをダイビン用ドライスーツとしたことを特徴とする請求項１から１０のいずれか一項に記載の水中用ドライスーツ。
【発明の詳細な説明】
【技術分野】
【０００１】
この発明は、一人で着脱容易な水中用ドライスーツに関する。
【背景技術】
【０００２】
水中用スーツの一つにダイビング用スーツがある。このダイビング用スーツとして、従来からウエットスーツとドライスーツとが知られている。ウエットスーツとドライスーツの大きな相違点は、ドライスーツの場合には、スーツの、例えば身体着脱用開口部に、柔軟性のある防水ファスナー（止水とも称する。）を使用している点である。
【０００３】
ダイビング用ドライスーツの場合には、防水ファスナーや、その他の給気バルブとか排気バルブとかに破損や不具合が生じないよう、安全策がとられている。
【０００４】
通常、防水ファスナーは、弾力性のある防水加工された２本のテープのそれぞれの内側の縁に沿って、エレメントがそれぞれ設けられていて、両テープによってこれらエレメント同士の水密（気密とも称する。）噛合の開閉を行う構造となっている。両テープを動かして防水ファスナーの開閉操作を無理やりに行うと、左右のテープが斜め方向に大きく開いて強く引っ張られ、そのため、両エレメントの噛み合いが悪くなって気密性の低下を引き起こし、或はスライダーがエレメントから外れてファスナー自体が破損するなどといった防水ファスナーの故障の原因となる。
【０００５】
そのため、従来の通常のダイビング用スーツのように、身体着脱用開口部を開閉する防水ファスナーが、スーツの背中側に設けられていると、一人でスーツの着脱を行う場合、防水ファスナーに故障が生じないように注意しながらスーツの着脱を行う必要がある。そのため、防水ファスナーの開閉操作が著しく困難であった。
【０００６】
ダイビング用スーツ或は潜水服の着脱用の開口部を形成するための防水ファスナーの配置に関する種々の提案がなされている（例えば、特許文献１、特許文献２および特許文献３）。
【０００７】
特許文献１には、潜水服の本体の一方の肩面から背面を通し他方の肩面に至る着脱用の防水ファスナーを設けることが開示されている。
【０００８】
特許文献２には、ジッパが着脱用の上半身部分の前部を肩からウエスト側へと斜めに縦断するように設けることが開示されている。
【０００９】
特許文献３には、着脱用の防水ファスナーを、左右の腕部の上部に至るように背中上部に左右方向に沿って配設することが開示されている。
【先行技術文献】
【特許文献】
【００１０】
【特許文献１】特開平１１−３１０１９３号公報
【特許文献２】特表２０００−５１０４１３号公報
【特許文献３】実開平６−２３８９７号公報
【発明の概要】
【発明が解決しようとする課題】
【００１１】
特許文献１に開示された潜水服および特許文献３に開示されたダイビングスーツによれば、着脱用の防水ファスナーが、背中側に一部分または全部が実質的に配置されているので、着用者が一人で着脱するときのファスナー操作が困難であり、スムーズに着脱するためには、第三者に防水ファスナーの開閉操作を行ってもらう必要があった。
【００１２】
また、特許文献１の潜水服の場合には、一人で簡単に着脱可能であるとうたっているが、首の後ろ側での防水ファスナーの開閉操作がスムーズに行えず、やはり困難であった。
【００１３】
また、特許文献２に開示された潜水服の場合の、着脱用の防水ファスナーの配置によれば、着用者が一人で潜水服を着脱することは可能である。しかしながら、潜水服がドライスーツの場合に、これを着用してほぼ直立の姿勢をとると、潜水服内に残留している空気の圧力（この圧力を、以下、内気圧と称する。）は、通常、脚部ではマイナス０．８気圧程度であり、胸部特に上胸部のドライスーツ内では、内気圧は１．２〜１．３気圧程度に上昇する。従って、図１（Ａ）に示すように、上胸部における防水ファスナー１０の一部分が局所的に高内気圧になるために膨らんで（図中、１０ａで示す。）歪み或は凹凸が生じる。このような膨らみが生じている防水ファスナーの箇所に、着用後に水中に飛び込んだり、或は、水中で屈んだりした場合に、この膨らみに一気に内気圧が集中して著しく高くなり、それに起因して、エレメントの噛合の悪化による機密性の悪化や防水ファスナーの亀裂やピンホールの発生などのほか、ファスナー自体の破裂破損（または破壊とも称する。）（図中、１０ｂで示す。）という不具合や故障が生じることがあった。
【００１４】
また、従来の防水ファスナーの場合、ダイビング用ドライスーツの着脱時に、防水ファスナーの両テープを限度以上の開放角にまで開放させるような外力が無理やりに作用すると、両テープにわずかな伸張差が生じてエレメントの噛み合いが悪化したり、或は防水ファスナーのスライダーからエレメントが外れるといった、防水ファスナーの破損をきたす不具合が生じ、そのためドライスーツの着用が出来なくなるという問題があった。
【００１５】
このように、従来公知のダイビング用スーツの場合には、このスーツがドライスーツの場合には、防水ファスナーの安全性はもとより防水ファスナーの不具合や破損の発生を回避するための十分な対策がされていないという問題があった。
【課題を解決するための手段】
【００１６】
上述した問題の解決を図るため、この出願の発明者は鋭意研究した結果、
（１）ドライスーツの着脱用の防水ファスナーを胸部特に上胸部に、胸幅方向に、配設すれば、胸元で防水ファスナーの開閉操作を、第三者を煩わせることなく、一人で簡単容易に行える
（２）また、防水ファスナーの内気圧に起因する局所的な膨らみに起因する防水ファスナーの故障すなわち不具合を、防水ファスナー（内側防水ファスナーとも称する。）の上側を覆うように、表生地側に別のファスナー（外側ファスナーとも称する。）を設け、この外側ファスナーを閉成して張り詰めた表生地と当該外側ファスナーとで相俟って、下側にある内側防水ファスナーを上側すなわち外側から押さえ込んで膨らみの発生を出来るだけ抑制するように、防水ファスナーと別のファスナーとの配置関係を設定しておけば、防水ファスナーの局所的な膨らみの破壊を防止することが可能である
（３）また、内側防水ファスナーのスライダーを最大開口位置である下止（スライダーエンド部とも称する。）の位置（以下、下止位置とも称する。）まで移動させて止めてあるとき、内側防水ファスナーの両テープを限度以上の開放角にまで開放させないようにしてテープに強い引っ張り力がかからないようにすればよい。そのためには、その下止位置に止められているスライダーから開放されている両テープの開放角を必要以上の開放角で開放するのを抑える抑制手段を、下止と下止位置に停止しているスライダーとに対向する領域に設ければよいということに想到した。  
【００１７】
そこで、この発明の第一の目的は、一人で簡単容易に着脱できる水中用ドライスーツを提供することにある。
【００１８】
この発明の第二の目的は、着脱用の開口部を開閉する防水ファスナーの、内気圧に起因する破壊や不具合の発生を抑制した水中用ドライスーツを提供することにある。
【００１９】
この発明の第三の目的は、ドライスーツの着脱時に着脱用の開口部を最大限に開口したときでも、この開口部を開口する防水ファスナーの故障すなわち不具合の発生を防止する構成とした水中用ドライスーツを提供することにある。
【００２０】
従って、この発明の要旨は、以下の通りである。
【００２１】
この発明の第一の要旨によれば、水中用ドライスーツは、ドライスーツ本体の胸部特に上胸部を胸幅方向に横断して両腕のそれぞれの肩部間にわたって設けられた、身体着脱用の開口部を備えている。
【００２２】
また、この開口部は、当該開口部を開閉すると共に該開口部を画成する防水ファスナー装置を具えている。
【００２３】
この発明の第二の要旨によれば、上述の防水ファスナー装置は、防水型の第一ファスナー（以下、第一防水ファスナーとも称する。）とこの第一防水ファスナーよりも上下方向において上側の第二ファスナーとの二重構造を以って構成されていて、上述の胸幅方向に横一文字状に設けられている。
【００２４】
上述の第一防水ファスナーは、上述のドライスーツ本体の裏生地に結合され、かつ上述の開口部の主開口を画成する。
【００２５】
また、上述の第二ファスナーは、上述の第一防水ファスナーより長尺であり、上述のドライスーツの表生地に結合され、および上述の主開口の上側にその主開口よりも大きな第一サブ開口を画成する。
【００２６】
この第二ファスナーは、さらに、上述のドライスーツを装着して閉成された時にそのドライスーツの表生地と相俟って、閉成されている上述の第一防水ファスナーを上側から押圧するように、この第一防水ファスナーに全体的或は部分的に重なる配置関係で設けられている。
【００２７】
また、この発明の第三の要旨によれば、上術の第一防水ファスナーの裏側から、この第一防水ファスナーの両テープのそれぞれの外周に沿って、上述の裏生地に両テープと一緒に結合された補強材を備える。この補強材は、この第一防水ファスナーのスライダーを当該第一防水ファスナーの最大開口位置である第一下止の位置（この位置を第一下止位置と称する。）まで移動させて止めてあるとき、このスライダーにより開放される両テープの開放角を抑制する開放角抑制部を含む。
【００２８】
この発明の好適実施例によれば、開放角抑制部は、基部と該基部から二股状に分岐した分岐部とを持った平板状の部材で形成されているのが良い。
【００２９】
また、この発明の他の好適実施例によれば、平板状の部材を生地とするのが良い。
【００３０】
また、この発明の他の好適実施例によれば、開放角抑制部は、第一下止と、第一下止位置に止められたスライダーとに対向する領域に設けられているのが良い。
【００３１】
また、この発明の他の好適実施例によれば、開放角抑制部は、第一防水ファスナーよりも硬い材料で形成されているのが良い。
【００３２】
また、この発明の他の好適実施例によれば、第二ファスナーは、上述の胸部の中央領域に対応する中央部分が肩側領域に対応する肩側部分よりも、ドライスーツの丈方向下方に下がっている構成とするのが良い。
【００３３】
また、この発明の他の好適実施例によれば、第二ファスナーは、上述の第一防水ファスナーに対して、上述の胸部の領域において肩側部分と中央部分との間で互いに交差する構成とするのが良い。
【００３４】
或はまた、上述の第二ファスナーは、上述の中央部分において左右に分離された第一および第二サブファスナーとして、設けられているのが良い。
【００３５】
また、上述の水中用ドライスーツは、特にダイビング用ドライスーツとして適用するのが好適である。
【００３６】
さらに、上述の水中用ドライスーツは、サーフィン用、ボディサーフィン用、ヨット用、およびジェットスキー用のいずれかの水面スポーツ用のドライスーツとして、或は水中作業用のドライスーツとして適用するのが好適である。
【発明の効果】
【００３７】
上述の第一の要旨による水中用ドライスーツによれば、着脱用の開口部の防水ファスナー装置は、両肩部の領域間にわたって、胸元を胸幅方向に横切って、主開口を開閉しかつ主開口を画成する防水型の第一ファスナーすなわち第一防水ファスナーを設けてある。従って、この第一防水ファスナーの開閉操作を胸部側の左右の手が届きかつ目で確認きる範囲内において、行うことが出来るので、従来のドライスーツよりも容易かつ簡単に防水ファスナーの開閉操作を行えるので、第一防水ファスナーの不具合や故障の発生を一層回避できるという効果を奏することが出来る。
【００３８】
さらに、胸元に防水ファスナー装置を設けてあるので、背中のツッパリ感が無いこと、上半身や両腕の運動性能が他の従来のドライスーツよりも著しく高いこと、および吸気バルブや排気バブルの操作性が高まる箇所にこれらバブルを取り付けが出来る等々のメリットがある。
【００３９】
また、上述の第二の要旨の水中用ドライスーツによれば、上述の効果に追加して、第一防水ファスナーよりも長尺の第二ファスナーを設けて、ドライスーツの着用時に、閉成している内側の第一防水ファスナーを、外側の第二ファスナーの閉成により緊張された表生地と当該第二ファスナーとが相俟って、上側から押さえ込むことが出来るので、第一防水ファスナーの、内気圧に起因する膨らみの更なる膨張を抑制でき、よって、第一防水ファスナーの局所的な膨らみによる両エレメントの噛み合わせの悪化や噛み合わせの外れなどによる気密性の悪化や防水ファスナーの破裂破壊などという不具合の発生を回避でき、従来のドライスーツの場合よりも着用時における安全性を高めるという効果を奏することが出来る。
【００４０】
また、上述の第三の要旨によるダイビング用ドライスーツによれば、上述の二つの効果に追加して、ドライスーツの着脱時に第一防水ファスナーの両テープを、意識的に或は無意識に、限度以上の開放角で開放するような強い引張力のような外力を加えてしまっても、第一防水ファスナーの下側に設けられている補強材の開放角抑制部により両テープの開放角が制限されるので、第一防水ファスナーが上述のような破損したり不具合となったりする恐れを回避でき、よって従来のドライスーツの場合よりも安全性を高めるという効果を奏することが出来る。
【００４１】
また、開放角抑制部を二股状の分岐部を有する構成としてあるので、両テープに対応させて裏生地に、両テープの開放角を確実に抑制できる位置に結合させることが出来る。
【００４２】
また、平板状の部材を生地とすることにより、柔らかくしなやかで、かつ曲がるが、第一防水ファスナーのテープの材料よりも硬い材料で形成できるというメリットがある。
【００４３】
また、開放角抑制部が、下止と、下止位置に止められたスライダーとに対向する領域に設けることにより、より確実に両テープの開放角を抑止することが出来る。
【００４４】
また、開放角抑制部を、第一防水ファスナーのテープの材料よりも硬い材料で形成することにより、強い外力がテープに加わったとしても、テープに結合されている開放角抑制部の分岐部の開放角が制限され、両テープの開放角を、この分岐部の開放角に応じたより小さな開放角に確実に抑制できる。
【００４５】
また、第二ファスナーの中央部分をその肩側部分よりも下側に位置させ、或は、第一防水ファスナーと第二ファスナーとを肩側部分と中央部分との間で互いに交差させることによって、肩部側が高くて中央部で低いＶ字状に設けることができるので、着用者の手の動きにかなったファスナー配置とすることが出来、よってファスナー操作がより簡単かつ容易となる。
【００４６】
また、第二ファスナーを第一及び第二サブファスナーと左右に分けて設けることにより、着用者の右手で右側のサブファスナーの開閉操作を行い、かつ左手で左側のサブファスナーの開閉操作を個別に行えるので、ファスナー開閉操作の操作性がより一層改善される。
【図面の簡単な説明】
【００４７】
【図１】(Ａ)および(Ｂ)は、従来のドライスーツに使用されている防水ファスナーの問題点の説明図である。
【図２】この発明の水中用ドライスーツの好適実施例に適用される防水ファスナー装置を構成する第一防水ファスナーおよび第二ファスナーの、ドライスーツ本体上における配置関係を説明するための説明図である。
【図３】この発明の水中用ドライスーツの好適実施例に適用される防水ファスナー装置を構成する防水型の第一ファスナーすなわち第一防水ファスナー、第二ファスナーおよび開放角抑制部の配置関係を説明するための要部の概略的平面図である。
【図４】この発明の水中用ドライスーツの好適実施例に適用される防水ファスナー装置を構成する第一防水ファスナー、第二ファスナーおよび開放角抑制部の上下方向の配置関係を説明するための要部の概略図である。
【図５】（Ａ）〜（Ｆ）は、図４に示した開放角抑制部の変形例をそれぞれ説明するための概略図である。
【図６】この発明の水中用ドライスーツの好適実施例に適用される防水ファスナー装置を構成する第一防水ファスナーに対する第二ファスナーの作用を説明するための要部の概略的平面図である。
【図７】図６に示した第二ファスナーを中央部で左右に分離された第一および第二サブファスナーとして構成した例を示す概略図である。
【図８】図４に示した開放角抑制部の変形例を説明するための概略図である。
【発明を実施するための形態】
【００４８】
以下図面を参照して、発明の好適実施例につき説明する。なお、以下説明する実施例は、単なる好適例に過ぎず、従って、この発明は以下の実施例にのみ限定されるものではないことに留意されたい。また、各図は、この発明の好適実施例の構成を理解できる程度に概略的に示しているに過ぎず、従って、この発明は、図示例の構成にのみ何等限定されるものではないことは当業者に明らかである。
【００４９】
まず、図２、図３および図４を参照して、この発明の水中用ドライスーツの好適実施例として、ダイビング用ドライスーツにつき説明する。
【００５０】
図２には、ダイビング用ドライスーツの本体２０を正面側から見た状態を概略的に示してある。
【００５１】
図３には、ダイビング用ドライスーツの防水ファスナー装置を、それぞれのファスナーのスライダーを下止側に移動させてそれぞれのファスナーを最大開口位置に開放した状態で、部分的に、概略的に示している。
【００５２】
図４には、主に、第一防水ファスナーおよび第二ファスナーのドライスーツ本体の裏生地と表生地との間での取り付けた配置状態を概略的に示している。
【００５３】
ダイビング用ドライスーツのドライスーツ本体２０は、その胸部を胸幅方向に横断して両腕のそれぞれの肩部間にわたって設けられた、着用者の身体着脱用の開口部２２（図２では、概略的に一点破線で示す。）を備えている。
【００５４】
なお、図２中、２４は、給気バブルおよび２６は排気バブルであり、これらはこの発明の構成には何等特徴的構成要件ではないので、その詳細な説明は省略する。
【００５５】
上述の開口部２２は、この開口部２２を開閉すると共にこの開口部２２を画成する防水ファスナー装置３０を具えている。この開口部２２は、図３を参照して後述するように、例えば、第一サブ開口２２ａと、第二サブ開口２２ｂと、主開口２２ｃとで構成されている。
【００５６】
この防水ファスナー装置３０は、好ましくは、主として、防水型の第一ファスナーすなわち第一防水ファスナー４０とこの第一防水ファスナー４０よりも上下方向において上側の第二ファスナー５０との二重構造を以って構成されている。従って、この構成例では、第一防水ファスナー４０は、着用者の身体側にあり、ドライスーツ２０の内側または下側ファスナーとも称する。一方、第二ファスナー５０は、水に接する側にあるので、外側または上側ファスナーとも称する。
【００５７】
また、この防水ファスナー装置３０は、好ましくは、上胸部に左右腕間を横一文字状に延在させて設けられている。
【００５８】
上述の第一防水ファスナー４０は、上述のドライスーツ本体２０の裏生地（図４に６０
で示してある。）に結合され、両端の第一上止４２ａおよび第一下止４２ｂ間で、例えば第一引張紐４４ａを用いて、第一スライダー４４（図３参照）を移動させることにより互いに噛合する第一エレメント４６よって開閉し、および上述の開口部２２の主開口２２ｃ（同様に、図３に２２ｃで示してある。）を画成する。これら第一エレメント４６は、周知の通り、二列に向き合って配列されていて、両エレメントの列間に主開口２２ｃが形成される。
【００５９】
上述の結合は、通常は、第一防水ファスナー４０の２本のテープ（同様に、図３に第一テープ４８として示してある。）の外縁を裏生地６０に結合により気密または水密に行われている（図４参照）。また、必要があるならば、縫い目を被覆する止水または防水止め処理が行われている。
【００６０】
このように、胸元特に上胸部に第一防水ファスナー４０を、好ましくは横一文字状に、すなわち直線的に、設けることが出来るので、その開閉操作は、十分に目で確認しながら注意して、行えるので、従来のような防水ファスナーの不具合の発生を十分に抑止できる。
【００６１】
また、上述の第二ファスナー５０は、この実施例では、無防水型のファスナーを使用し
ているが、防水型のファスナーを使用しても良い。この第二ファスナー５０は、上述の第一防水ファスナー４０より長尺とするのが好適である。
【００６２】
この第二ファスナー５０は、上述のドライスーツ本体２０の表生地７０（図３および図
４に７０で示してある。）に結合され、および上述の主開口２２ｃの上側にその主開口よりも大きな第一サブ開口２２ａを画成する。より具体的に説明すると、第二ファスナー５０の両端の第二上止５２ａおよび第二下止５２ｂ間で、例えば第二引張紐５４ａを用いて、第二スライダー５４（図２および図３参照）を移動させることによって互いに噛合する第二エレメント５６を開閉し、および上述の開口部２２の第一サブ開口（同様に、図３に２２ａで示してある。）を画成する。これら第二エレメント５６は、周知の通り、二列に向き合って配列されていて、両エレメントの列間に上述の第一サブ開口２２ａが形成される。
【００６３】
この第二ファスナー５０は、防水型ではないので、表生地７０にその２本のテープ（同様に、図３に第二テープ５８として示してある。）の外縁を通常の縫製により結合すればよい。この第二ファスナー５０を防水型とする場合には、当然ながら、第一防水ファスナーと同様に、気密または水密に結合し、また、必要があるならば、縫い目を被覆する止水または防水止め処理を行っておく必要がある。
【００６４】
この第二ファスナー５０は、さらに、上述のドライスーツ本体２０の装着後閉成されると、そのドライスーツ本体２０の表生地７０と相俟って、閉成されている上述の第一防水ファスナー４０を上側から押圧するように、この第一防水ファスナー４０に部分的に重なる配置関係で設けるのがファスナーの開閉操作上の点から好適である。その場合、第二ファスナー５０の第二エレメント５６の対向列が噛合して、表生地７０を引っ張って緊張させるように、この第二ファスナー５０を表生地７０に縫い止めるのが良い。
【００６５】
この第二ファスナー５０は、例えば、図２に示すように、上述の胸部の中央領域に対応する中央部分５０ａが肩側領域に対応する肩側部分５０ｂよりも、ドライスーツの丈方向下方に下がっている構成とするのが良い。このように第二ファスナ−５０を設けけることにより、第二ファスナー５０の左右の半分ずつを左右の使いやすい方の手を使って容易かつ間単に開閉操作することが出来る。
【００６６】
特に、第二ファスナー５０を、上述の第一防水ファスナー４０に対して、上述の胸部の領域において肩側部分５０ｂと中央部分５０ａとの間で互いに交差する構成とすれば、左右の手の動きに適合させたファスナー配置とすることが出来るので、ファスナー開閉操作を、より一層、簡単かつ容易にし得る。
【００６７】
この第二ファスナー５０は、従来のドライスーツには設けていなかったファスナーであるので、ドライスーツの着脱時に、その煩わしさを打破するように、開閉操作をスムーズに行えることが要件であるが、第二ファスナー５０を上述のように手の動きに適合した曲線状に設けることによって、スムーズに操作できる。
【００６８】
また、図７に示すように、上述の第二ファスナー５０は、好ましくは、上述の中央部分５０ａにおいて左右に分離された第一および第二サブファスナー５０ｘおよび５０ｙとして、設けられているのが良い。この場合、図６に示す好適例では、第一サブファスナー５０ｘは、肩側の第一上止５０ｘａから一旦上側に凸状に湾曲して中央部分の下方へと下降して第二ファスナー５０の中央すなわち中間点を越えた位置の第一下止５０ｘｂにまで達して設けている。
【００６９】
一方、第二サブファスナアー５０ｙは、第一サブファスナー５０ｘとほぼ対称的に設けられている。すなわち、第二サブファスナー５０ｙは、肩側の第二上止５０ｙａから、一旦上側に凸状に湾曲して中央部分の下方へと下降して第二ファスナー５０の中央すなわち中間点を越えた位置の第二下止５０ｙｂにまで達して設けている。したがって、中央部分５０ａでは、第一及び第二サブファスナー５０ｘおよび５０ｙの第一下止５０ｘｂおよび第二下止５０ｙｂ自体と、これらからそれぞれ肩側部分５０ｂに向かったファスナーの一部分が互いにドライスーツ本体２０の丈方向に分離して配置されている。
【００７０】
このように第二ファスナーを第一および第二サブファスナー５０ｘおよび５０ｙに左右に分けて設けることにより、それぞれのサブファスナーの開閉操作を左右の手で、個別に、目で確認しながら行えるので、第二ファスナー５０の開閉操作がより一層容易かつ簡単となり、よって、よりスムーズに第二ファスナー５０の開閉操作を行うことが出来る。
【００７１】
上述した図７に示す好適実施例の第二ファスナー５０の構成の場合よりも、操作性が多少劣るが、第一防水ファスナー４０と第二ファスナー５０とが上下にほぼ全長にわたって重なるように配置してもよく、このようにしても従来のドライスーツにくらべてファスナー開閉の操作性は格段に優れている。
【００７２】
次に、第一および第二ファスナーの構成材料につき簡単に説明する。
【００７３】
第一防水ファスナー４０は、柔らかくてしなやかで、かつ曲げに強い材料で形成するのが好適である。
【００７４】
そのために、第一防水ファスナー４０の第一テープ４８は、従来周知の材料、例えばポリエステルの表面および裏面にＰＶＣ（塩化ビニール）、ＣＲ（クロロプレン合成ゴム）、ＰＵ（ポリウレタン）などのいずれかをコーティングしたものを用いても良いし、或はポリエステルの生地に熱可塑性エラストマーをコーティングしたものを用いても良い。
【００７５】
また、第一防水ファスナー４０の第一エレメント４６は、従来周知の、例えば洋白（銅６２％、ニッケル１４％、亜鉛２４％）のような金属性のものでも良く、或は、ナイロン或はポリエステルのものフィラメントをコイル状に成型したプラスチック製のものであっても良い。
【００７６】
また、第一防水ファスナー４０の第一スライダー４４は、従来周知の、例えばアルミブロンズ製或はステンレス製のものであっても良い。
【００７７】
この好適実施例では、第一防水ファスナー４０として、ドイツ国のＴＩＺＩＰ社製の「マスターシール（商品名）」の両端クローズタイプのものを使用した。この防水ファスナーによれば、第一テープ４８が、基布がポリエステルであって熱可塑性のエラストマーがコーティングされているものであるため、ドライスーツ本体２０の裏生地６０がＰＶＣやポリウレタンである場合に、これに対する溶着を簡単に出来るし、或は裏生地６０がネオプレンゴムの場合には、これに対する接着を容易にできるので、好適である。また、第一エレメント４６は、上述のコイル状に成型したプラスチック製であるため、金属製のものに比べて錆びることが無いので使用して有利である。
【００７８】
第一スライダー４４は、上述のステンレス製であるので、金属製のものに比べて金属さびが発生する恐れが無く、使用して有利である。
【００７９】
このような「マスターシリーズ」の防水ファスナーは、金属製の防水ファスナーに比べて柔軟性に富み、しなやかであり、しかも、曲げにも強いので、使用して特に好適である。
【００８０】
一方第二ファスナー５０は、第一防水ファスナー４０と同様に、柔軟性に富み、しなやかであり、しかも、曲げにも強い材料で形成するが、第一防水ファスナー４０のテープよりも硬いテープ材料で形成するのが良い。この好適実施例では、第二ファスナー５０として、例えば、市販のＹＫＫ社製の商品名「＃１０Ｃプラスチックファスナー＆スライダ−」を使用しているが、何等これに限定されるものではない。
【００８１】
次に、図３、図４、図５および図８を参照して、補強材の開放角抑制部につき説明する。
【００８２】
図５（Ａ）〜（Ｆ）および図８は、開放角抑制部の変形例を説明するための概略図である。
【００８３】
図３および図４は、開放部抑制部を補強材自体として構成した例を示している。この開放角抑制部８０は、上術の第一防水ファスナー４０の裏側から、この第一防水ファスナーの両第一テープ４８のそれぞれの外周に沿って、上述の裏生地６０に結合されている（図３に点線枠で示す。また、図４に補強材８０として示す。）。この結合は、縫製によって行うか、接着や溶融によっても行うことが可能であり、この結合により、ドライスーツの裏生地６０と、第一防水ファスナー４０の第一テープ４８と、この補強材８０とが確実かつ堅固に結合する。また、必要ならば、その縫い目上を覆う防水或は止水処理を行っても良い。
【００８４】
この第一防水ファスナー４０の第一スライダー４４により両第一テープ４８が、開放された後、着用者がドライスーツ本体２０を着脱するときに、開放された第一防水ファスナー４０の両第一テープ４８を強力に引っ張って、開放角をより広げようとする場合がある。そのような場合に、そのまま強力な引張力が第一エレメント４６や、第一下止位置に移動している第一スライダー４４に、直接加わると、これら第一エレメント４６や第一スライダー４４が故障をきたしてしまい、第一防水ファスナー４０が不具合となってしまい、使用できなくなる。
【００８５】
開放角抑制部８０は、第一防水ファスナー４０の上述のような強い引張力に起因した第一防水ファスナー４０の故障を防ぐために設けられている。この開放角抑制部８０は、第一防水ファスナー４０の故障を防止するために、外力例えば強い引張力が当該ファスナー４０の第一テープ４８に加わったときに、この引張力が第一下止４２ｂ側の第一テープ４８の部分へ伝わるのを抑制する役割を果たすものである。換言すれば、この開放角抑制部８０は、第一下止４２ｂ側の第一テープ４８の部分を補強する補強材でもある。この開放角抑制部８０が抑制できる開放角は、この開放角抑制部８０と第一テープ４８との結合位置と、それぞれが使用する材料の硬さの違いとに主として依存する。具体的には、硬さの異なる材料でそれぞれが形成されている場合、その硬さの違いを考慮して、第一テープ４８の広がりをどの程度まで許容するかによって、第一テープ４８のおおよその開放角が決まるので、その開放角を予め設計上定めておいて、その開放角がそれよりもやや小さめの角度に合わせてテープに結合すればよい。
【００８６】
この開放角抑制部８０は、好ましくは、上述の主開口２２ｃを最大に開放する、上述の第一防水ファスナー４０の第一下止４２ｂと、第一下止位置とに対応する領域に設ければよい。この図３および図４に示す例では、上述の領域を含め、その領域よりも胸部側へと張り出して設けている。
【００８７】
この開放角抑制部８０は、図５(Ａ）〜（Ｆ）に示す好適例では、基部８２ａとこの基部から二股状に分岐した分岐部８２ｂとを有する。基部８２ａは、矩形状或は任意好適な形状とすることが出来る。また、分岐部８２ｂの分岐間の凹部の形状は、滑らかに湾曲するＵ字状、四角いＵ字状、或はＶ字状とすることが出来るが、何等これらの形状に限定されるものではない。図５（Ａ）〜（Ｃ）に示す例は、矩形の平板状部材に凹部を設けてあり、また、図５（Ｄ）から（Ｆ）は、Ｙ字状の平板状部材に凹部を設けてある。尚、開放角抑制部８０を二股状にしたのは、第一防水ファスナー４０の第一テープ４８が第一スライダー４４から二股状に開放されることを考慮して、開放角の抑制機能を適切にするとともに、開放角抑制部８０によって、主開口２２ｃをできるだけ狭めないようにするためである。
【００８８】
図３および図４に示す好適例では、開放角抑制部８０は、第一下止位置よりも主開口２２ｃ内へと張り出した、平板状の張出部材として形成されている。この張出部材の第一防水ファスナーの第一エレメント４６に対向する中央領域から外側へと延在し、かつ、この第一下止位置よりもこの第一防水ファスナー４０の中央側へすなわち胸部側へ向かって突出している。さらに、この突出した部分の外縁は、Ｕ字状に凹んだ突出外縁８０ａを有している。図３には、この補強材としての開放角抑制部８０のＵ字状の突出外縁８０ａが、両第一エレメント４６間の主開口２２ｃ内に露出して設けられている状態を示している。この突出外縁８０ａは、滑らかな凹んだＵ字状の曲線の外縁として示しているが、設計に応じて、Ｖ字状に凹んでいてもよく、或は、平坦な直線的な外縁であっても良い。
【００８９】
ここで説明する開放角抑制部８０すなわち補強材の好適実施例によれば、この開放角抑制部８０は、上述の第一防水ファスナー４０特にその第一テープ４８よりも硬い材料で形成されているのが良い。好適な実施例によれば、この開放角抑制部８０の構成材料すなわち素材を、例えば、プロロプレン系合成ゴムとするのが良い。この材料は、周知の通り、防水性に優れており、しかも、第一防水ファスナー４０の第一テープ４８の素材よりもやや硬くて伸びにくい。そのため、胸部側で第一テープ４８をその開放角を広げる方向に強く引っ張っても、その引張力は、開放角抑制部８０すなわち補強材によって、抑制され、この第一下止４２ｂ側の第一テープ４８の部分に伝達する引張力は弱められる。よって、第一テープ４８に強力な引張力が加わっても、第一防水ファスナー４０の第一エレメント４６と第一スライダー４４に不具合が生じるのを確実に回避でき、ドライスーツ本体２０の安全性を担保できる。
【００９０】
図３に示した好適実施例の開放角抑制部８０すなわち補強材の構成では、これを第一下止側に片寄って設けているが、図８に示すように、この開放角抑制部８０を第一防水ファスナー４０の第一テープ４８の全体に沿って設けても良く、どのように設けるかは、設計上の問題である。
【００９１】
なお、図８には、補強材の一部分に開放角抑制部を設けた構成例を示す。この場合、補強材９０は、図３および図４で説明した開放角抑制部８０を第一下止４２ａ側に有している。図８には、この補強材９０と、第一防水ファスナーの主開口２２ｃ、第一エレメント４６、第一テープ４８、第一上止４２ａおよび第一下止４２ｂと、第二サブ開口２２ｂおよび開放角抑制部８０の突出外縁８０ａに対応する補強材９０の第二サブ開口の内縁部分との位置関係の一例を示している。
【００９２】
この補強材９０を第一テープ４８の全体に沿って設ける場合には、第一テープ４８の全体と結合できる平板状の素材を用意し、その素材の、主開口２２ｃに対応する内側位置に、主開口よりも例えば大き目の第二サブ開口２２ｂを形成する。この第二サブ開口２２ｂの上述した第一下止側の開口の内縁形状は、図３を参照して説明した突出外縁８０ａと同様な形状とすればよい。上述した平板状の素材からなる補強材９０を、この第二サブ開口２２ｂの内周縁が主開口２２ｃの内周縁に沿ってそれよりも外側に位置するように、第一防水ファスナー４０の第一テープ４８に全周に沿って、裏生地６０を介在させて、第一テープ４８に結合させる。
【００９３】
この発明は、上述した実施例にのみ限定されるものではなく、この発明の精神を逸脱することなく多くに変形または変更を行いえることは、当業者に明白である。
【符号の説明】
【００９４】
１０：防水ファスナー
１０ａ：膨らみ
１０ｂ：破壊箇所
２０：ドライスーツ本体
２２：開口部  
２２ａ：第一サブ開口  
２２ｂ：第二サブ開口
２２ｃ：主開口
２４：給気バルブ    
２６：排気バルブ
３０：防水ファスナー装置
４０：第一防水ファスナー
４２ａ：第一上止
４２ｂ：第一下止
４４：第一スライダー
４４ａ：第一引張紐
４６：第一エレメント
４８：第一テープ    
５０：第二ファスナー
５０ａ：中央部分
５０ｂ：肩側部分    
５０ｘ：第一サブファスナー
５０ｙ：第二サブファスナー
５２ａ：第二上止
５２ｂ：第二下止
５４：第二スライダー          
５４ａ：第二引張紐
５６：第二エレメント
５８：第二テープ
６０：裏生地
７０：表生地
８０：開放角抑制部（補強材）
８０ａ：突出外縁
８２ａ：基部
８２ｂ：分岐部
【図１】
2011140278.tif 000003
【図２】
2011140278.tif 000004
【図３】
2011140278.tif 000005
【図４】
2011140278.tif 000006
【図５】
2011140278.tif 000007
【図６】
2011140278.tif 000008
【図７】
2011140278.tif 000009
【図８】
2011140278.tif 000010
【手続補正書】
【提出日】平成22年2月17日(2010.2.17)
【手続補正１】
【補正対象書類名】特許請求の範囲
【補正対象項目名】全文
【補正方法】変更
【補正の内容】
【特許請求の範囲】
【請求項１】
ドライスーツ本体の胸部の領域内を胸幅方向に横断して両腕のそれぞれの肩部間にわたって設けられた、身体着脱用の開口部を備え、該開口部は、当該開口部を開閉すると共に該開口部を画成する防水ファスナー装置が設けられている水中用ドライスーツであって、
前記防水ファスナー装置は、第一防水ファスナーと該第一防水ファスナーよりも前記ドライスーツ本体の内外方向において上側の第二ファスナーとの二重構造を以って構成されて、前記胸幅方向に横一文字状に設けられており、
前記第一防水ファスナーは、前記ドライスーツ本体の裏生地に結合され、かつ前記開口
部の主開口を画成しており、
前記第二ファスナーは、前記第一防水ファスナーより長尺であり、前記ドライスーツの表生地に結合され、前記主開口の上側に該主開口よりも大きな第一サブ開口を画成し、および、前記ドライスーツを装着して閉成された時に前記ドライスーツの表生地と相俟って、閉成されている前記第一防水ファスナーを上側から押圧するように、前記第一防水ファスナーに全体的或は部分的に重なる配置関係で設けられている
ことを特徴とする水中用ドライスーツ。
【請求項２】
前記第一防水ファスナーの裏側から、該第一防水ファスナーの両テープの外周に沿って、前記裏生地に前記両テープと一緒に結合され、および該第一防水ファスナーのスライダーを該第一防水ファスナーの最大開口位置である第一下止の位置（この位置を第一下止位置と称する。）まで移動させてこの下止位置に止めてあるとき、前記スライダーにより開放される前記両テープの開放角を抑制する開放角抑制部を含む補強材を備えることを特徴とする請求項１に記載の水中用ドライスーツ。
【請求項３】
前記開放角抑制部は、基部と該基部から二股状に分岐した分岐部とを持った平板状の部材で形成されていることを特徴とする請求項２に記載の水中用ドライスーツ。
【請求項４】
前記平板状の部材を生地とすることを特徴とする請求項３に記載の水中用ドライスーツ。
【請求項５】
前記開放角抑制部は、前記第一下止と、前記第一下止位置に止められた前記スライダーとに対向する領域に設けられていることを特徴とする請求項２から４のいずれか一項に記載の水中用ドライスーツ。
【請求項６】
前記開放角抑制部は、前記第一防水ファスナーよりも硬い材料で形成されていることを特徴とする請求項２から５のいずれか一項に記載の水中用ドライスーツ。
【請求項７】
前記第二ファスナーは、前記胸部の中央領域に対応する中央部分が肩側領域に対応する肩側部分よりも、前記ドライスーツの丈方向下方に下がっていることを特徴とする請求項１から６のいずれか一項に記載の水中用ドライスーツ。
【請求項８】
前記第二ファスナーは、前記第一防水ファスナーに対して、前記胸部の領域において前記肩側部分と前記中央部分との間で互いに交差することを特徴とする請求項７に記載の水中用ドライスーツ。
【請求項９】
前記第二ファスナーは、前記中央部分において左右に分離された第一および第二サブファスナーとして、設けられていることを特徴とする請求項７または８に記載の水中用ドライスーツ。
【請求項１０】
水中用ドライスーツをダイビン用ドライスーツとしたことを特徴とする請求項１から９のいずれか一項に記載の水中用ドライスーツ。
【手続補正２】
【補正対象書類名】明細書
【補正対象項目名】００５３
【補正方法】変更
【補正の内容】
【００５３】
ダイビング用ドライスーツのドライスーツ本体２０は、その胸部の領域内を胸幅方向に横断して両腕のそれぞれの肩部間にわたって設けられた、着用者の身体着脱用の開口部２２（図２では、概略的に一点破線で示す。）を備えている。
【手続補正３】
【補正対象書類名】明細書
【補正対象項目名】００５６
【補正方法】変更
【補正の内容】
【００５６】
この防水ファスナー装置３０は、好ましくは、主として、防水型の第一ファスナーすなわち第一防水ファスナー４０とこの第一防水ファスナー４０よりも上下方向すなわちドライスーツ本体の内外方向（裏表方向ともいう。）において上側の第二ファスナー５０との二重構造を以って構成されている。従って、この構成例では、第一防水ファスナー４０は、着用者の身体側にあり、ドライスーツ２０の内側または下側ファスナーとも称する。一方、第二ファスナー５０は、水に接する側にあるので、外側または上側ファスナーとも称する。
【手続補正４】
【補正対象書類名】明細書
【補正対象項目名】００５９
【補正方法】変更
【補正の内容】
【００５９】
上述の結合は、通常は、第一防水ファスナー４０の２本のテープ（同様に、図３に第一テープ４８として示してある。）の外縁を裏生地６０に結合することにより気密または水密に行われている（図４参照）。また、必要があるならば、縫い目を被覆する止水または防水止め処理が行われている。
【手続補正５】
【補正対象書類名】明細書
【補正対象項目名】００９３
【補正方法】変更
【補正の内容】
【００９３】
この発明は、上述した実施例にのみ限定されるものではなく、この発明の精神を逸脱することなく多くの変形または変更を行いえることは、当業者に明白である。
【手続補正書】
【提出日】平成22年3月16日(2010.3.16)
【手続補正１】
【補正対象書類名】特許請求の範囲
【補正対象項目名】請求項１０
【補正方法】変更
【補正の内容】
【請求項１０】
水中用ドライスーツをダイビング用ドライスーツとしたことを特徴とする請求項１から９のいずれか一項に記載の水中用ドライスーツ。